(57)【要約】      （修正有）【課題】高価な金属の使用量を大幅に抑えることを可能にした配線金具を提供する。【解決手段】栓刃を挿通させる刃受を立設した複数の刃受部２と該複数の刃受部２を接続すると共に電源と接続するための配線基板部３から成る配線金具において、刃受部２と前記配線基板部３とを異種金属で形成すると共に、刃受部２と前記配線基板部３とを固定する固定部４を介装した構造としたものであり、更に、刃受部を黄銅で形成すると共に、配線基板部３をアルミニウム又はアルミニウム合金で形成した構造としたものである。【選択図】図１
0003143000.tif 000002
【実用新案登録請求の範囲】
【請求項１】
栓刃を挿通させる刃受を立設した複数の刃受部と該複数の刃受部を接続すると共に電源と接続するための配線基板部から成る配線金具において、前記刃受部と前記配線基板部とを異種金属で形成すると共に、前記刃受部と前記配線基板部とを固定する固定部を介装した構造としたことを特徴とする配線金具。
【請求項２】
前記刃受部を黄銅で形成すると共に、前記配線基板部をアルミニウム又はアルミニウム合金で形成した構造としたことを特徴とする請求項１に記載の配線器具。
【考案の詳細な説明】
【技術分野】
【０００１】
本考案は、コンセント、テーブルタップ等の配線器具の配線金具に関するものであり、更に詳細には、栓刃を挿通させる刃受を備えた刃受部と該刃受部を接続する配線基板部を異種金属で形成した配線金具に関するものである。
【背景技術】
【０００２】
従来、配線金具はコンセント、テーブルタップ等の接続器具に内装され汎用されており、対峙させた２つの薄板状の刃受にプラグに突設した栓刃を挿通させて黄銅の材料特性の弾性により挟持させて電気的接続をしているものである。
【０００３】
然し乍ら、近年、世界的な銅の値上がりからこの種の配線金具も徐々にコストが上昇している現状であり、これらの配線金具を内装した配線器具も高騰する要因に成っているものである。
【０００４】
例えば、先に開示された、コネクタの被接続部分の材料と同じ材質の細線を弾性樹脂中に埋め込みコネクタ内部で異種材料細線を結線し、さらに内部において結線部を樹脂封止したもの（特許文献１参照）や、配線器具１は、中空棒状ケーシング２内に、複数のプラグ接続部３０を有するプラグ接続ユニット３と、電線接続端子４１Ａ．４１Ｂを有する端子台４とを収容してなる。ケーシング２は、横断面略Ｕ形のアルミニウム押出形材製ケーシング本体２１と、ケーシング本体２１の上方開口を塞ぐアルミニウム押出形材製上部蓋体２２と、ケーシング本体２１の両端部に嵌め込まれる第１および第２端部閉鎖体２３．２４とで構成する。ケーシング本体２１の両側壁２１１上端部に係止部２１１ａを形成し、上部蓋体２２の両縁部に、係止部２１１ａに係り止められる側方凸部２２２ａを先端部に有する垂下壁２２２を形成するもの（特許文献２参照）が開示されている。
【特許文献１】実開平５−６１９６５号公報
【特許文献２】特開２００４−１９９９８３号公報
【考案の開示】
【考案が解決しようとする課題】
【０００５】
然し乍ら、特許文献１に記載のものは、電極信号線端子とＦＰＣケーブルの接続のコネクターで異種材料細線を結線するものあるが、栓刃を挿通する刃受を備えた配線器具の配線金具を異種金属で形成したものではなく、また、特許文献２に記載のものは、配線器具に異種金属を用いているものであるが、受刃金具は一体に形成されているもので、配線金具そのものが異種金属で形成されているものは実施されていないのが実情である。
【課題を解決するための手段】
【０００６】
前記課題に鑑み、鋭意研鑽の結果、栓刃を挿通させる刃受を立設した複数の刃受部と該刃受部を接続すると共に電源と接続するための配線基板部から成る配線金具において、刃受部と配線基板部とを異種金属で形成すると共に、刃受部と配線基板部とを固定する固定部を介装した構造としたものであり、更に、刃受部を黄銅で形成すると共に、配線基板部をアルミニウム又はアルミニウム合金で形成した構造としたものである。
【考案の効果】
【０００７】
本考案は、配線金具において、刃受部と配線基板部とを異種金属で形成すると共に、刃受部と配線基板部とを固定する固定部を介装した構造としたことにより、高価な金属に代えて部分的に廉価な金属を使用することができ、高価な金属の使用量を大幅に抑えることを可能とし、更に、刃受部を黄銅で形成すると共に、配線基板部をアルミニウム又はアルミニウム合金で形成した構造としたことにより、銅の使用量を大幅に抑えることを可能とし、全世界的に高騰する銅を用いた配線金具のコストダウンに繋がるものであり、極めて有効的で実用性の高い考案である。
【考案を実施するための最良の形態】
【０００８】
以下、本考案の配線金具の実施例の図面を用いて詳細に説明すると、図１は本考案の配線金具の実施例の斜視図であり、図２は本考案の配線金具の次実施例の斜視図である。
【０００９】
本考案は、コンセント、テーブルタップ等の配線器具の配線金具１に関するものであり、更に詳細には、栓刃を挿通させる刃受を備えた刃受部２と該刃受部２を接続する配線基板部３を異種金属で形成した配線金具１に関するものであり、請求項１に記載の配線金具は、栓刃を挿通させる刃受を立設した複数の刃受部２と該複数の刃受部２を接続すると共に電源と接続するための配線基板部３から成る配線金具において、前記刃受部２と前記配線基板部３とを異種金属で形成すると共に、前記刃受部２と前記配線基板部３とを固定する固定部４を介装した構造としたことを特徴とするものである。
【００１０】
更に、請求項２に記載の配線金具は、請求項１に記載の配線金具において、前記刃受部を黄銅で形成すると共に、前記配線基板部３をアルミニウム又はアルミニウム合金で形成した構造としたものである。
【実施例】
【００１１】
即ち、本考案の配線金具１は、図１及び図２に図示するように、コンセント、テーブルタップ等の配線器具の配線金具１であり、この種の配線金具１にはプラグの板状の栓刃を挿通させるために上方が開いた薄板状の２つの相対して対峙する刃受を立設させ、挿通させた栓刃を材料特性により弾性を有して挟持すると共に、対峙させた刃受を一体に接続させる屈曲させた部位を含む刃受部２を形成しているものである。
【００１２】
そして、刃受部２は、少なくとも一対の栓刃を挿通させる対のものであり、一般的にコンセント、テーブルタップ等の配線器具には、少なくとも２〜３口の差込口を有しており、テーブルタップにおいては最大７〜１０口程度の差込口を有しているものであり、刃受部２も夫々に対応する数が配設されるものである。
【００１３】
次に、配線基板部３は、前記複数の刃受部２を接続すると共に、電源コードの配線又は電源と接続させるための栓刃を有する栓刃金具の基部と接続する接続部位を一体に形成した薄板状のものである。
【００１４】
更に、複数の刃受部２と配線基板部３とを異種金属で形成するものであり、異種金属の選定は限定するものではないが、高価な金属と廉価な金属とを用いて、高価な金属に代えて廉価な金属を使用し、高価な金属の使用量を軽減させることが好適なものである。
【００１５】
更には、固定部４は、刃受部２と配線基板部３とを固定するもので、夫々一対としている複数の刃受部２を一対の配線基板部３に固定部４を介装して固定するもので、固定部４はリベットやスポット溶接、超音波溶着等の手段によって固定するものである。
【００１６】
また、刃受部２を黄銅で形成すると共に、配線基板部３をアルミニウム又はアルミニウム合金で形成したものであり、この場合、世界的に高騰している銅の使用部分を軽減させて、銅より廉価なアルミニウム又はアルミニウム合金を用いているものであり、配線器具に実装して各種のパターンでテストを繰り返したが、使用に関しては何ら問題は発生しないものである。
【産業上の利用可能性】
【００１７】
本考案は、配線金具において、刃受部と配線基板部とを異種金属で形成すると共に、刃受部と配線基板部とを固定する固定部を介装した構造としたことにより、高価な金属に代えて部分的に廉価な金属を使用することができ、高価な金属の使用量を大幅に抑えることを可能とし、更に、刃受部を黄銅で形成すると共に、配線基板部をアルミニウム又はアルミニウム合金で形成した構造としたことにより、銅の使用量を大幅に抑えることを可能とし、全世界的に高騰する銅を用いた配線金具のコストダウンに繋がる配線金具の提供するものである。
【図面の簡単な説明】
【００１８】
【図１】図１は本考案の配線金具の実施例の斜視図である。
【図２】図２は本考案の配線金具の次実施例の斜視図である。
【符号の説明】
【００１９】
１      配線金具
２      刃受部
３      配線基板部
４      配線基板部
【図１】
0003143000.tif 000003
【図２】
0003143000.tif 000004